(57)【要約】【課題】ポンプをバスタブの基準面に対して所定高さ位置に確実に設置できて、ポンプ吸込側配管とポンプ吐水側配管を所定勾配に容易に設定し得るジェットバスの配管構造を提供する。【解決手段】バスタブの壁面に設けた吸込口からバスタブ内の水をポンプ吸込側配管を介してポンプに吸込み、該水をポンプ吐水側配管を介して壁面に設けた吐水口からバスタブ内に吐水させるジェットバスの配管構造であって、前記ポンプを、バスタブのポンプ設置側の壁面と対向する浴室壁パネルに、バスタブの上縁フランジ等の基準面に対して所定高さ位置に固定されたポンプ取付部材を介して取り付けることにより、ポンプ吸込側配管の吸込流路とポンプ吐水側配管の吐水流路とが所定勾配に設定されていることを特徴とする。【選択図】  図２
2004181110.tif 000002
【特許請求の範囲】
【請求項１】
バスタブの壁面に設けた吸込口からバスタブ内の水をポンプ吸込側配管を介してポンプに吸込み、該水をポンプ吐水側配管を介して前記壁面に設けた吐水口からバスタブ内に吐水させるジェットバスの配管構造であって、
前記ポンプを、バスタブのポンプ設置側の壁面と対向する浴室壁パネルに、浴室内に形成される基準面に対して所定高さ位置に固定されたポンプ取付部材を介して取り付けることにより、前記ポンプ吸込側配管の吸込流路とポンプ吐水側配管の吐水流路とが所定勾配に設定されていることを特徴とするジェットバスの配管構造。
【請求項２】
前記基準面は、バスタブの上縁フランジもしくは防水パンの水平面であることを特徴とする請求項１に記載のジェットバスの配管構造。
【請求項３】
前記ポンプ取付部材は、上下方向の端部に形成された平板状のフランジが前記基準面に当接することを特徴とする請求項１または２に記載のジェットバスの配管構造。
【請求項４】
前記ポンプは、その取付金具及び前記ポンプ取付部材に設けられた係止孔と係止突起の係合により、取付金具を介してポンプ取付部材に取り付けられることを特徴とする請求項１ないし３のいずれかに記載のジェットバスの配管構造。
【請求項５】
前記ポンプ取付部材は、前記基準面に対して振動伝達防止手段を介する状態で浴室壁パネルに固定されることを特徴とする請求項１ないし４のいずれかに記載のジェットバスの配管構造。
【発明の詳細な説明】
【０００１】
【発明の属する技術分野】
本発明は、例えばシステムバスルーム等の浴室内のバスタブに設置されるジェットバスの配管構造に関する。
【０００２】
【従来の技術】
従来、システムバスルーム等の浴室１のジェットバス２においては、図５に示すように、バスタブ３に固定的に設けた吸込口４と吐水口５ａ、５ｂとの間にポンプ６が設けられている。このポンプ６は、吸込口４と吸込側配管７で接続さると共に、バスタブ３の背側の壁面３ｂに設けた吐水口５ａ、５ｂあるいはバスタブ３の足側の壁面に設けられた図示しない２個の吐水口と複数のポンプ吐水側配管８〜１０で接続されている。そしてこの場合、ポンプ６の設置においては、図６に示すように、吸込口４と吐水口５ａ、５ｂ等との高さ位置関係において、吐水口５ａ、５ｂ等（Ｈ１）＞ポンプ６（Ｈ３）＞吸込口４（Ｈ２）となり、かつポンプ吸込側配管７（内部の吸込流路Ａ）がポンプ６側からみて下り勾配で、ポンプ吐水側配管８（内部の吐水流路Ｂ）が上り勾配となるように設定する必要がある。
【０００３】
そのため、シェットバス２の設置（施工）時に、ポンプ６をその取付板１１のアジャスター１２によって防水パン１３の床面１３ａからの高さを調整することで、ポンプ６を前述した所定高さ位置に設定して設置している。これにより、湯張り時にはポンプ６の作動でポンプ吸込側配管７やポンプ６内の空気がポンプ吐水側配管８〜１０を通って吐水口５ａ、５ｂ等からバスタブ３内に抜けてポンプ６内に吸込口４から水が吸込まれ、また、排水時にはポンプ６内の水が下り勾配のポンプ吸込側配管７を流れて吸込口４からバスタブ３内に排出され、これがバスタブ３の排水孔１４（図１参照）から浴室１外に排水されるようになっている。（なお、このようなジェットバス１の配管構造としては、例えば特許文献１に開示されている。）
【０００４】
【特許文献１】
特開平８−１６４０８１号公報
【０００５】
【発明が解決しようとする課題】
しかしながら、このように配管構造のジェットバス２にあっては、防水パン１３の変形や撓み等のバラツキ、バスタブ３の上縁と浴室内装部材である洗い場カウンターやバスタブエプロンとの位置合わせ、さらには水準器を用いたバスタブの上縁を水平とする調整等のために、バスタブ３とポンプ６との高さ位置関係、すなわちバスタブ３に固定的に設けられている吸込口４及び吐水口５ａ、５ｂ等とポンプ６の高さ位置関係が所定の高さ位置に対してずれる場合がある。
【０００６】
そこで、この高さ位置関係のずれを前記アジャスター１２で調整することも考えられるが、ポンプ６の設置スペースであるバスタブ３の背側の壁面３ｂ外側の空間が狭く、アジャスター１２まで作業者の手が届かない場合があって、極めて作業性が悪く、ポンプ６を所定の高さ位置に設定することが現実的に困難となる。その結果、ポンプ吸込側配管７とポンプ吐水側配管８の勾配が前述した所定の勾配とならず、例えばポンプ吸込側配管７が上り勾配となり、排水時にポンプ吸込側配管７内に水が残る場合があったり、あるいはポンプ吐水側配管８が下り勾配となり、ポンプ６が吸込不良で空運転になる場合があるという問題点を有している。
【０００７】
本発明は、このような事情に鑑みてなされたもので、その目的は、ポンプを基準面に対して所定高さ位置に確実に設置できて、ポンプ吸込側配管とポンプ吐水側配管を所定勾配に容易に設定し得るジェットバスの配管構造を提供することにある。
【０００８】
【課題を解決するための手段】
かかる目的を達成すべく、本発明のうち請求項１に記載の発明は、バスタブの壁面に設けた吸込口からバスタブ内の水をポンプ吸込側配管を介してポンプに吸込み、該水をポンプ吐水側配管を介して前記壁面に設けた吐水口からバスタブ内に吐水させるジェットバスの配管構造であって、前記ポンプを、バスタブのポンプ設置側の壁面と対向する浴室壁パネルに、浴室内に形成される基準面に対して所定高さ位置に固定されたポンプ取付部材を介して取り付けることにより、前記ポンプ吸込側配管の吸込流路とポンプ吐水側配管の吐水流路とが所定勾配に設定されていることを特徴とする。
【０００９】
このように構成することにより、ポンプが作動するとバスタブ内の水が吸込口からポンプ吸込側配管を介してポンプ内に吸込まれ、この水がポンプからポンプ吐水側配管及び吐水口を介してバスタブ内に吐水される。この時、ポンプが、浴室内に形成される基準面に対して所定高さ位置となる浴室壁パネルに固定されたポンプ取付部材を介して取り付けられることから、基準面を所定に設定することでポンプとバスタブの吸込口及び吐水口との高さ位置関係を所定に設定できて、ポンプ吸込側配管の吸込流路とポンプ吐水側配管の吐水流路とが所定の勾配となり、排水時のポンプ吸込側配管内の残水や湯張り時の吸込不良等が確実に防止される。
【００１０】
そして、前記基準面は、請求項２に記載の発明のように、バスタブの上縁フランジもしくは防水パンの水平面であることが好ましい。このように構成することにより、基準面としてバスタブの上縁フランジや防水パンの水平面、例えば壁パネル取付面が使用されることから、浴室内に形成される基準面を有効利用して、ポンプを浴室内の所定高さ位置に容易に設置できる。
【００１１】
また、前記ポンプ取付部材は、請求項３に記載の発明のように、上下方向の端部に形成された平板状のフランジが前記基準面に当接することが好ましい。このように構成することにより、ポンプ取付部材の平坦なフランジが基準面に面接触状態で当接されることから、ポンプ取付部材と基準面の位置決めが確実かつ容易に行え、ポンプを所定高さ位置に一層容易に設置できる。
【００１２】
また、前記ポンプは、請求項４に記載の発明のように、その取付金具及び前記ポンプ取付部材に設けられた係止孔と係止突起の係合により、取付金具を介してポンプ取付部材に取り付けられることが好ましい。このように構成することにより、ポンプの取付金具及びポンプ取付部材の係止孔と係止突起の係合でポンプがポンプ取付部材に取り付けられることから、ポンプの取付作業を略ワンタッチで行うことができて、ポンプを一層容易に設置できる。
【００１３】
さらに、前記ポンプ取付部材は、請求項５に記載の発明のように、前記基準面に対して振動伝達防止手段を介する状態で浴室壁パネルに固定されることが好ましい。このように構成することにより、例えば取付金具のフランジと基準面としてのバスタブの上縁フランジ下端面との間に、弾性材等の振動伝達防止手段が介装されることから、ポンプのバスタブへの振動伝達が抑制されて、振動伝達による入浴中の入浴者の不快感が防止される。
【００１４】
【発明の実施の形態】
以下、本発明の実施の形態を図面に基づいて詳細に説明する。
図１〜図３は、本発明に係わるジェットバスの配管構造の一実施形態を示し、図１が該ジェットバスが設置される浴室の平面図、図２がその配管部分を示す正面図、図３がポンプの設置方法を示す分解斜視図である。なお、以下の説明において、図５及び図６に示す部位と同一部位には、同一符号を付して説明する。
【００１５】
図１において、浴室１は、例えば平面視方形状の防水パン１３の周囲に配置された壁パネル１５ａ〜１５ｄ及び図示しない天井パネルによって略箱状に形成され、防水パン１３の壁パネル１５ｂ側にはバスタブ３が設置され、バスタブ３側方の防水パン１３上には一端部にカウンター１６が設置された洗い場１７が設けられている。なお、バスタブ３は上縁フランジ３ｆの上面が水平となるように水準器等により調整されて設置されている。
【００１６】
前記バスタブ３は、排水孔１４を有する底面３ａと背側及び足側の壁面３ｂ、３ｄと側方の壁面３ｃ、３ｅによって形成され、背側の壁面３ｂに２個の吐水口５ａ、５ｂが設けられ足側の壁面３ｄに２個の吐水口５ｃ、５ｄが設けられると共に、側方の壁面３ｃには吸込口４が設けられている。また、バスタブ３の壁面３ｂ〜３ｄと壁パネル１５ａ〜１５ｃとの間に形成される空間１８内には、ジェットバス２を構成するポンプ６及びこのポンプ６と吸込口４や吐水口５ａ〜５ｄとを連結するポンプ吸込側配管７やポンプ吐水側配管８〜１０等が配置されている。
【００１７】
すなわち、図２及び図３に示すように、ポンプ６は、バスタブ３の壁面３ｂに対向する壁パネル１５ａに４個のネジ１９で固定されたポンプ取付部材２０を介して取り付けられ、このポンプ６のポンプ吸込口６ａとバスタブ３の吸込口４とが袋ナットやゴム継手等からなる継手２１を介してポンプ吸込側配管７で接続され、ポンプ６のポンプ吐水口６ｂと吐水口５ａ〜５ｄとがポンプ吐水側配管８〜１０や継手２１を介して接続されている。
【００１８】
この時、図３に示すように、ポンプ６は、その上下面に側面視コ字状の取付金具２２がネジ２３によって固定されると共に、この取付金具２２の取付面の上部両端部には同一高さ位置に２個の係止孔２２ａが形成され、この係止孔２２ａが前記ポンプ取付部材２０のフック状の係止突起２０ａに係合されるようになっている。また、ポンプ取付部材２０は、例えばステンレスによって形成され、その上部に前方に水平状態で突出したフランジ２０ｂが形成されると共に、上部両端部には前記係止突起２０ａが溶接、切り起こし等によってそれぞれ設けられている。
【００１９】
なお、取付金具２２の少なくとも上面は、ゴム等の弾性材３０を介してポンプ６の上面にネジ２３で固定されており、この弾性材３０によりポンプ６の振動が取付金具２２やポンプ取付部材２０を介して壁パネル１５ａ等に伝達されるのが防止されている。また、取付金具２２の係止孔２２ａは、上部が一定幅の係止突起２０ａの幅と略同一で下部がこれより広い台形状に形成されることで、取付金具２２のポンプ取付部材２０への係合を容易にしている。
【００２０】
そして、このポンプ取付部材２０は、図２に示すように、その平板状のフランジ２０ｂが、本発明の基準面を形成するバスタブ３のトリミング面である上縁フランジ３ｆの下端面に、振動伝達防止手段としてのゴムパッキン等の弾性材２４を介して面接触状態で当接し、この状態で４隅の固定孔２０ｃ（図３参照）からネジ１９を壁パネル１５ａにねじ込むことでポンプ取付部材２０が壁パネル１５ａに固定されている。
【００２１】
また、このポンプ取付部材２０の下部両側に固定されたナット２５に、取付金具２２の下部両端部に穿設された取付孔２２ｂ（図３参照）からネジ２６がねじ込まれることにより、取付金具２２がポンプ取付部材２０に取り付けられている。なお、弾性材２４は、ポンプ６の設置時にその高さがバスタブ３の上縁フランジ３ｆに対して所定高さとなる所定の弾性を有するものが使用されるが、ポンプ６の振動が少ない場合等には、省略することも勿論可能である。
【００２２】
また、ポンプ６の取付金具２２、ポンプ取付部材２０を介した壁パネル１５ａへの取付状態において、ポンプ吸込側配管７（内部の吸込流路Ａ）が、ポンプ吸込口６ａから吸込口４に向けて下り勾配となり、ポンプ吐水側配管８（内部の吐水流路Ｂ）が、ポンプ吐水口６ｂから吐水口５ａ〜５ｄ方向に向けて上り勾配となるように設定されている。これにより、バスタブ３の上縁フランジ３ｆの上面から下端面までの寸法が所定に設定されていることから、バスタブ３の上縁フランジ３ｆ上面からの吐水口５ａ〜５ｄの高さ寸法Ｈ１、ポンプ６の高さ寸法Ｈ３及び吸込口４の高さ寸法Ｈ２が、Ｈ１＜Ｈ３＜Ｈ２となって、各流路Ａ、Ｂの勾配と共に高さ寸法Ｈ１〜Ｈ３が設計上の所定高さに設定されている。
【００２３】
このようなジェットバス２の設置は、例えばポンプ取付部材２０や取付金具２２及び各種ネジ１９、２３、２６等を施工部品として用意し、施工現場で、先ず、ポンプ取付部材２０のフランジ２０ｂを弾性材２４を介して防水パン１３上に設置されているバスタブ３の上縁フランジ３ｆの下端面に当接（突き合わせ）させて、ネジ１９で壁パネル１５ａに固定する。この時、ポンプ取付部材２０にはポンプ６が取り付けられていないことから、狭い空間１８であってもポンプ取付部材２０が壁パネル１５ａに比較的容易に固定され、このポンプ取付部材２０の壁パネル１５ａへの固定により、バスタブ３の基準面である上縁フランジ３ｆ下端面とポンプ取付部材２０の係止突起２０ａの高さ位置が所定に設定される。
【００２４】
そして、ポンプ取付部材２０を壁パネル１５ａに固定したら、次に、ポンプ６にネジ２３で固定されている取付金具２２の係止孔２２ａを、壁パネル１５ａに固定されて前方に突出しているポンプ取付部材２０の係止突起２０ａに係合（係止）させる。この係合時に、係止孔２２ａが台形状に形成されていることから、係止孔２２ａの幅広な下部を係止突起２０ａの上端部に嵌入させて下方に移動させることで、幅が狭くかつ係止突起２０ａの幅と略同一に設定された係止孔２２ａ上部に係止突起２０ａが係合して、取付金具２２の左右方向の移動が規制された状態となる。この状態で、ネジ２６を取付孔２２ｂからポンプ取付部材２０のナット２５にねじ込むことによって、取付金具２２、すなわちポンプ６がポンプ取付部材２０により壁パネル１５ａの所定高さ位置に取り付けられることになる。
【００２５】
ポンプ６をその取付金具２２を介してポンプ取付部材２０に取り付けたら、次に、このポンプ６のポンプ吸込口６ａとポンプ吐水口６ｂに、例えば予め工場等で組み付けられたポンプ吸込側配管７の一体部７ａやポンプ吐水側配管８の一端部８ａを継手２１を介してそれぞれ接続して、ポンプ６を防水パン１３上に設置する。なお、この時、ポンプ吐水側配管８は少なくとも上り勾配に設定され、これに接続されるポンプ吐水側配管９、１０は、水平状態か上り勾配に設定されている。
【００２６】
そしてポンプ６が設置されたら、このポンプ６を、図１に示すように、浴室１の例えば天井パネル上に設けた電源ユニット２７に接続し、この電源ユニット２７に浴室１の例えば壁パネル１５ｂに配置された操作盤２８（リモコン）を接続する。これにより、ジェットバス２の設置が完了する。
【００２７】
このジェットバス２によれば、前記操作盤２８の所定の操作スイッチが操作されてポンプ６が作動することにより、バスタブ３内の水（湯）が吸込口４、ポンプ吸込側配管７、ポンプ吸込口６ａを介してポンプ６内に吸込まれ、これがポンプ吐水口６ｂ、ポンプ吐水側配管８〜１０、吐水口５ａ、５ｂ等を介してバスタブ３内に噴射される。このポンプ６の作動時に、ポンプ吐水側配管８の吐水流路Ｂが上り勾配に設定されポンプ吸込側配管７の吸込流路Ａが下り勾配に設定されていることから、バスタブ３内に湯張りする場合、ポンプ６内やポンプ吐水側配管８内の空気を、例えば水平なポンプ吐水側配管９、１０等を介して吐水口５ａ、５ｂからバスタブ３内に確実に排出しつつ、吸込口４からバスタブ３内の水をポンプ５内に吸込むことができて、ポンプ６の空運転が確実に防止される。
【００２８】
そして、ポンプ６により吸込んだ水は、ポンプ６の作動制御や背側や足側の吐水口５ａ〜５ｄに設けた図示しない噴射ノズルの位置設定により、例えば背側の吐水口５ａ、５ｂからバスタブ３内にジェット噴流として噴射されたり、足側の吐水口５ｃ、５ｄからパルス噴流として噴射され、これらの噴流で入浴者に所定のマッサージ効果が得られることになる。
【００２９】
また、ポンプ６を停止させてバスタブ３内の水を排水する場合は、ポンプ吐水側配管８〜１０、ポンプ６やポンプ吸込側配管７内の水が下り勾配を有するポンプ吸込側配管７を介して吸込口４からバスタブ３内に排出され、これがバスタブ３の排水孔１４から外部に確実に排水され、排水時にポンプ吸込側配管７内に水が残ることがなくなる。
【００３０】
このように、上記実施形態のジェットバス２によれば、ポンプ６が、その取付金具２２を空間１８内に位置する壁パネル１５ａに固定されたポンプ取付部材２０に取り付けることで壁パネル１５ａに取り付けられるため、該ポンプ取付部材２０の係止突起２２ａの高さを予め所定高さ位置に設定することにより、ポンプ６の設置高さ位置を所定高さに設定でき、ポンプ６とバスタブ３の吸込口４及び吐水口５ａ〜５ｄを所定の高さ位置関係に維持すると共に、ポンプ吸込側配管７の吸込流路Ａを下り勾配でポンプ吐水側配管８の吐水流路Ｂを上り勾配に確実に設定できる。
【００３１】
特に、ポンプ取付部材２０を剛性ある鋼板で形成し、その所定位置に予め工場等で係止突起２０ａが一体的に設けられているため、浴室１内に形成されるバスタブ３の基準面である上縁フランジ３ｆ下端面からの係止突起２２ａの高さ寸法を所定高さ位置に高精度に設定できて、バスタブ３とポンプ６の高さ位置関係をポンプ取付部材２０により一義的に決定でき、ポンプ６の設置を精度良く行うことができる。その結果、排水時のポンプ吸込側配管７内の残水が防止されて、残水による雑菌の増殖等を防止することができると共に、湯張り時のポンプ吐水側配管８内への空気の滞留によるポンプ６の吸込不良や空運転を防止することができ、ジェットバス２を確実に動作させて、安定したジェット噴流やパルス噴流等により、入浴者が良好なマッサージ効果を得ることが可能になる。
【００３２】
また、ポンプ取付部材２０の平板状のフランジ２０ｂが、バスタブ３の上縁フランジ３ｆの下端面に弾性材２４を介して面接触状態で当接されるため、ポンプ取付部材２０とバスタブ３の位置決めを確実かつ容易に行うことができる。また、ポンプ６の取付金具２２に設けた係止孔２２ａを壁パネル１５ａに固定されているポンプ取付部材２０の係止突起２０ａに係合させることにより、ポンプ６がポンプ取付部材２０に取り付けられるため、ポンプ６のポンプ取付部材２０への取付作業を略ワンタッチで行うことができ、特に、係止孔２２ａを台形状に形成することにより、幅広部分を利用して係止突起２０ａに容易に嵌入係合でき、ポンプ取付部材２０への取付金具２２の位置決め作業と合わせポンプ６の取付作業自体を極めて簡単に行うことができる。
【００３３】
また、ポンプ６がポンプ取付部材２０を介して壁パネル１５ａに略密着状態で設置されるため、バスタブ３の壁面３ｂと壁パネル１５ａ間に形成されるジェットバス設置用スペースとしての空間１８をより広く使用できて、ポンプ６の設置や各種配管作業等を一層簡単に行うことができ、これらのことから、ジェットバス２の設置時間の短縮等が図れて設置コストを低減させること等が可能になる。
【００３４】
さらに、ポンプ取付部材２０とバスタブ３の上縁フランジ３ｆ間に弾性材２４が介装されているため、この弾性材２４でポンプ６の振動のバスタブ３への伝達を抑えることができて、バスタブ３内に入浴中の入浴者が不快な振動を感じることがなくなり、快適な入浴を行うことが可能になる。また、ポンプ吸込側配管７の一端部７ａとポンプ吸込口６ａ、あるいはポンプ吐水側配管８の一端部８ａとポンプ吐水口６ｂとの接続を袋ナット等の継手２１で行うことにより、ポンプ６と各配管７、８との接続が容易に行え、ポンプ６の設置は勿論のこと、ポンプ６の交換作業等も容易に行うことが可能になる。
【００３５】
図４は、本発明に係わる配管構造の他の実施形態を示す図２と同様の正面図である。以下、上記実施形態と同一部位には、同一符号を付して説明する。この実施形態の特徴は、ポンプ６を設置するための基準面をバスタブ３の上縁フランジ３ｆではなく、浴室１の防水パン１３の水平面の一つである壁パネル取付面１３ｂとし、この壁パネル取付面１３ｂにポンプ取付部材２０を介してポンプ６の取付金具２２を取り付けるようにした点にある。
【００３６】
すなわち、浴室１を施工現場で設置する場合、防水パン１３の外周部に設けた水平な壁パネル取付面１３ｂに水準器を当てて水平を保ち、この状態で壁パネル取付面１３ｂからＨ４の高さでバスタブ３を固定設置しているため、この防水パン１３の壁パネル取付面１３ｂを基準面とすることで、上記実施形態と同様に、高さ寸法Ｈ１〜Ｈ３が所定寸法に設定されることになる。この実施形態のポンプ取付部材２０は、その下端部にフランジ２０ｂを有し、このフランジ２０ｂの下面が防水パン１３の壁面取付面１３ｂに面接触状態で当接して壁パネル１５ａに固定されており、このポンプ取付部材２０の係止突起２０ａとナット２５に、ポンプ６が取り付けられた取付金具２２の係止孔２２ａ等が取り付けられる。
【００３７】
この実施形態の場合は、図４の二点鎖線で示すように、ポンプ取付部材２０のフランジ２０ｂを無くし、平板状のポンプ取付部材２０の下端面２０ｄをそのまま防水パン１３の壁パネル取付面１３ｂ上に当接させる構成とすることもできる。この実施形態においても、前述したように、浴室１にバスタブ３を設置する際の基準面をポンプ６の取付基準とすることができて、ポンプ６とバスタブ３の吸込口４や吐水口５ａ〜５ｄの高さ寸法関係を所定に設定できることから、上記実施形態と同様の作用効果を得ることができる。
【００３８】
なお、上記各実施形態においては、バスタブ３に設けられる吐水口５ａ〜５ｄが背側と足側に２個づつ合計４個設けられる場合について説明したが、例えば背側の壁面３ｂにのみ吐水口を２個設けたり、背側あるいは足側の壁面３ｂ、３ｄに１個の吐水口を設けることもできるし、吸込口４の位置も側方の壁面５ｄに限らず、背側の壁面３ｂ下部に設けることもでき、吐水口５ａ〜５ｄや吸込口４の個数やその配置位置は、バスタブ３自体や吐水される噴流の形態に応じて適宜の構成を採用することができる。
【００３９】
また、上記各実施形態においては、ポンプ取付部材２０の平板状のフランジ２０ｂをバスタブ３の上縁フランジ３ｆの下端面に弾性材２４を介して面接触させて、ポンプ取付部材２０とバスタブ３との位置決めを行うようにしたが、例えばポンプ取付部材２０の上端両側に上方に向けて突起をそれぞれ設け、この突起の先端をバスタブ３の上縁フランジ３ｆの下端面に当接させることで位置決めしても良く、この場合は、ポンプ取付部材２０とバスタブ３の上縁フランジ３ｆとの接触部分が極めて小さくなって振動伝達が抑制されることになる。
【００４０】
さらに、上記実施形態においては、ポンプ取付部材２０に係止突起２０ａを設け取付金具２２に係止孔２２ａを設けたが、取付金具２２に係止突起を設けポンプ取付部材２０に係止孔を設ける逆の構成とすることもできるし、上記各実施形態における、バスタブ３の上縁フランジ３ｆの形状、ポンプ６の壁パネル１５ａへの設置位置、ポンプ取付部材２０や取付金具２２自体の形状、係止孔２２ａや係止突起２０ａの形状、基準面の位置等も一例であって、本発明に係わる各発明の要旨を逸脱しない範囲において適宜に変更することができる。
【００４１】
【発明の効果】
以上詳述したように、請求項１に記載の発明によれば、ポンプが基準面に対して所定高さ位置となる浴室壁パネルに固定されたポンプ取付部材を介して取り付けられるため、ポンプとバスタブの吸込口や吐水口との高さ位置関係が所定に設定され、ポンプ吸込側配管の吸込流路とポンプ吐水側配管の吐水流路を所定の勾配に容易に設定できて、排水時のポンプ吸込側配管内の残水や湯張り時の吸込不良等を確実に防止することができる。
【００４２】
また、請求項２に記載の発明によれば、請求項１に記載の発明の効果に加え、基準面としてバスタブの上縁フランジや防水パンの水平面が使用されるため、浴室内に形成される基準面を有効利用して、ポンプを浴室内の所定高さ位置に容易に設置することができる。
【００４３】
また、請求項３に記載の発明によれば、請求項１または２に記載の発明の効果に加え、ポンプ取付部材の上下端部に形成された平板状のフランジが基準面に面接触状態で当接するため、ポンプ取付部材と基準面の位置決めが確実かつ容易に行え、ポンプを所定高さ位置に一層容易に設置することができる。
【００４４】
また、請求項４に記載の発明によれば、請求項１ないし３に記載の発明の効果に加え、ポンプの取付金具及びポンプ取付部材の係止孔と係止突起の係合でポンプがポンプ取付部材に取り付けられるため、ポンプの取付作業を略ワンタッチで行うことができて、ポンプの設置作業をより一層容易に行うことができる。
【００４５】
また、請求項５に記載の発明によれば、請求項１ないし４に記載の発明の効果に加え、例えば取付金具のフランジと基準面としてのバスタブの上縁フランジ下面との間に、弾性材等の振動伝達防止手段が介装されるため、ポンプのバスタブへの振動伝達を抑制することができて、振動伝達による入浴中の入浴者の不快感を防止できる等の効果を奏する。
【図面の簡単な説明】
【図１】本発明に係わる配管構造を採用したジェットバスが設置される浴室の一実施形態を示す平面図
【図２】同その配管部分を示す正面図
【図３】同ポンプの取付方法を示す分割斜視図
【図４】本発明に係わる配管構造の他の実施形態を示す図２と同様の正面図
【図５】従来の配管構造の斜視図
【図６】同その正面図
【符号の説明】
２・・・・・・・・・ジェットバス
３・・・・・・・・・バスタブ
３ｂ〜３ｅ・・・・・壁面
３ｆ・・・・・・・・上縁フランジ
４・・・・・・・・・吸込口
５ａ〜５ｄ・・・・・吐水口
６・・・・・・・・・ポンプ
６ａ・・・・・・・・ポンプ吸込口
６ｂ・・・・・・・・ポンプ吐水口
７・・・・・・・・・ポンプ吸込側配管
８〜１０・・・・・・ポンプ吐水側配管
１３・・・・・・・・防水パン
１３ｂ・・・・・・・壁パネル取付面
１５ａ〜１５ｄ・・・壁パネル
１８・・・・・・・・空間
２０・・・・・・・・ポンプ取付部材
２０ｂ・・・・・・・フランジ
２０ｄ・・・・・・・下端面
２２ａ・・・・・・・係止突起
２２ｂ・・・・・・・フランジ
２１・・・・・・・・継手
２２・・・・・・・・取付金具
２２ａ・・・・・・・係止孔
２４・・・・・・・・弾性材
２７・・・・・・・・電源ユニット
２８・・・・・・・・操作盤
３０・・・・・・・・弾性材
Ａ・・・・・・・・・吸込流路
Ｂ・・・・・・・・・吐水流路
【図１】
2004181110.tif 000003
【図２】
2004181110.tif 000004
【図３】
2004181110.tif 000005
【図４】
2004181110.tif 000006
【図５】
2004181110.tif 000007
【図６】
2004181110.tif 000008